(57)【要約】      （修正有）【課題】少ない部品点数で操作部材の耐久性を向上させ、選択ホイールの選択操作の割出し節度を得る構成と、回転節度を得る構成と、を操作部材にともに装備して、印字選択時の手許の感覚（手応え）を良好とした印字器の印字選択装置を提供する。【解決手段】操作部材４の選択ホイール回転規制ロッド１２は、選択された選択ホイールのみを回転可能とする回転許容凹部１２Ｃを有し、選択されていない選択ホイールの回転を規制可能とする回転規制凸部１２Ｄを有し、選択ホイールの内周係合溝に係合する駆動突起１４を有するつまみシャフト１１は、回転許容凹部１２Ｃとは異なる部位に位置する係脱部位においてつまみシャフト１１の回転を許容可能に抑制する弾性係脱部１５を有することを特徴とする。【選択図】図３
2008207453.tif 000002
【特許請求の範囲】
【請求項１】
印字器フレームと、
この印字器フレーム内において互いに隣り合わせに同軸的に重ね合わせて軸方向のまわりに回転可能とした選択ホイールと、
この軸方向においてこれらの選択ホイールのいずれかを選択するとともに、この選択したいずれかの選択ホイールをその軸のまわりに回転駆動可能な操作部材と、
複数個の印字文字をそのまわりにそれぞれ形成しているとともに、これらの選択ホイールの外周係合溝にそれぞれ係合する複数の印字用エンドレスバンドと、を有する印字器の印字選択装置であって、
前記操作部材は、
前記選択ホイールの前記軸方向に沿って移動操作可能であるとともに、前記軸方向のまわりに回転操作可能なつまみと、
このつまみにより操作可能なつまみシャフトであり、前記選択ホイールの内周側に形成した内周係合溝に係合して前記選択ホイールを回転駆動可能とする駆動突起を有するつまみシャフトと、
このつまみシャフトと前記選択ホイールの前記軸方向に一体的に移動可能であるとともに前記軸方向に延びる選択ホイール回転規制ロッドと、を有し、さらに、
この選択ホイール回転規制ロッドは、
前記選択ホイールのうち前記操作部材により選択された前記選択ホイールのみを回転可能とする回転許容凹部を有するとともに、選択されていない前記選択ホイールの回転を規制可能とする回転規制凸部を有し、
前記つまみシャフトは、
この回転許容凹部とは異なる部位に位置する係脱部位において前記つまみシャフトの回転を許容可能に抑制する弾性係脱部を有することを特徴とする印字器の印字選択装置。
【請求項２】
前記操作部材は、前記つまみシャフトと前記選択ホイールの前記軸方向に一体的に移動可能であるとともに前記軸方向に延びる見出し枠を有することを特徴とする請求項１記載の印字器の印字選択装置。
【請求項３】
前記選択ホイール回転規制ロッドの前記回転規制凸部は、前記選択ホイールの前記外周係合溝に係合可能であることを特徴とする請求項１記載の印字器の印字選択装置。
【請求項４】
前記係脱部位は、前記選択ホイール回転規制ロッドの前記回転許容凹部に位置している前記選択ホイールに隣接する前記選択ホイールの前記内周係合溝であることを特徴とする請求項１記載の印字器の印字選択装置。
【請求項５】
前記係脱部位は、前記選択ホイール回転規制ロッドの前記回転許容凹部に位置している前記選択ホイールに隣接する前記印字器フレームのフレーム係脱溝であることを特徴とする請求項１記載の印字器の印字選択装置。
【請求項６】
前記つまみシャフトの前記弾性係脱部は、前記つまみシャフトの前記つまみとは反対側の先端部側にこれを形成したことを特徴とする請求項１記載の印字器の印字選択装置。
【請求項７】
前記つまみシャフトの前記弾性係脱部は、前記つまみシャフトの前記つまみの近傍側にこれを形成したことを特徴とする請求項１記載の印字器の印字選択装置。
【発明の詳細な説明】
【技術分野】
【０００１】
本発明は印字器の印字選択装置にかかるもので、とくに携帯式のラベル印字貼付け装置などに装着される印字器の印字選択装置に関するものである。
【背景技術】
【０００２】
従来の印字器の印字選択装置においては、たとえば特許文献１のように、印字器フレームと、操作部材と、同軸方向に互いに隣接して並べた複数個の選択ホイールと、各選択ホイールにそれぞれ係合しているとともにそれぞれ印字文字を有する複数の印字用エンドレスバンドと、を有していた。
上記操作部材として、操作軸を設け、この操作軸を選択ホイールの軸方向に移動操作することにより、いずれかの選択ホイールを選択して、いずれかの列ないし桁に位置している印字用エンドレスバンドを選択し（いわゆる、割出し操作）、さらに、操作軸を回転操作することにより印字用エンドレスバンドにおいて必要な印字文字を選択するようにしている。
【０００３】
この割出し操作を行っている操作者の指にかかる割出し節度（列選択時の感覚ないし手応え）を伝えるために、上記選択ホイールの厚さに応じて上記操作軸に複数個の割出し用溝を互いに所定間隔で形成するとともに、この割出し用溝に係脱する割出し用スチールボールなどによる印字割出しの付勢機構を設けているために、構成が複雑化するという問題がある。
しかして、ある選択ホイールを選択してこれを回転操作しようとする際に、この選択ホイールに隣接する左右いずれかの選択ホイールも一緒に回転させてしまうおそれがあるため、この割出し機能を確実化して、必ずある一列分の選択ホイールないし印字用エンドレスバンドのみを選択および回転可能としておく必要がある。
しかしながら、操作軸に複数個の割出し用溝を互いに所定間隔で形成しているために、割出し用溝の部分は軸径が細くなっており、使用中に操作軸が折れてしまう可能性があるという問題がある。
さらに、上記印字割出しの付勢機構として、割出し用溝に係脱する割出し用スチールボールなどの部品を採用しているため、部品点数が多くなるという問題がある。
【０００４】
なお、上記印字用エンドレスバンドはこれを、印字器の上方部分に位置する上記操作軸の選択ホイールの部分と、実際にスタンプ作用による印字を行う印字器の下方部分に位置する節度コマないし印字受け台部の部分との間に掛け回している。
上記選択ホイールを回転させて印字用エンドレスバンドの印字文字を選択する際に操作者が指に感じる各印字文字ごとの回転節度（印字文字の一文字ごとの適正なセット状態、ないしセット状態の区別）を明確にすることにより、操作軸操作の選択操作の確実さを感ずることができるが、この回転節度を操作軸から離れた節度コマの部分で発生させる構成では、操作感覚の確実性が低いという問題がある。
また、この回転節度を操作軸側に近い部位において得るために、上記特許文献１では、操作軸の周辺に印字節度の付勢機構を設けているが、この印字節度の付勢機構では、操作軸を挿通したスリーブに複数個の節度用溝を互いに所定間隔で形成すること、およびこの節度用溝に係脱する節度用スチールボールなどを設けることとしているが、上述した印字割出しの付勢機構と同様に、構成の複雑化および部品点数の増加を避けることができないという問題がある。
【０００５】
【特許文献１】特許第３６８３３６６号公報
【発明の開示】
【発明が解決しようとする課題】
【０００６】
本発明は以上のような諸問題にかんがみなされたもので、選択ホイールの割出しのための機構を簡略化して、とくに耐久性に優れた構成とすることができる印字器の印字選択装置を提供することを課題とする。
【０００７】
また本発明は、印字用エンドレスバンドの回転節度を選択ホイールの回転節度として操作部材の近傍でこれを得ることができるようにした印字器の印字選択装置を提供することを課題とする。
【０００８】
また本発明は、操作部材のつまみシャフトを一定の径を持たせるように構成し、とくに操作部材の耐久性を向上させるとともに、部品点数を少なくすることができる印字器の印字選択装置を提供することを課題とする。
【０００９】
また本発明は、選択ホイール自体の選択操作（割出し操作）の割出し節度を得る構成と、回転節度を得る構成と、を操作部材にともに装備することができるようにして、構成の簡略化とともに、印字選択時の手許の感覚（手応え）を良好とした印字器の印字選択装置を提供することを課題とする。
【００１０】
また本発明は、部品点数を増やすことなく、必ずある一列分の選択ホイールないし印字用エンドレスバンドのみを選択および回転可能としておくことができる印字器の印字選択装置を提供することを課題とする。
【課題を解決するための手段】
【００１１】
すなわち本発明は、操作部材のつまみシャフトを単純な円筒形状とし、このつまみシャフト部分に、選択ホイールの割出し機能および回転節度保持機能をともに持たせること、および、ある選択された選択ホイール（印字用エンドレスバンド）の回転操作時において選択されなかった他の選択ホイールの部分において回転規制機能を持たせることに着目したもので、印字器フレームと、この印字器フレーム内において互いに隣り合わせに同軸的に重ね合わせて軸方向のまわりに回転可能とした選択ホイールと、この軸方向においてこれらの選択ホイールのいずれかを選択するとともに、この選択したいずれかの選択ホイールをその軸のまわりに回転駆動可能な操作部材と、複数個の印字文字をそのまわりにそれぞれ形成しているとともに、これらの選択ホイールの外周係合溝にそれぞれ係合する複数の印字用エンドレスバンドと、を有する印字器の印字選択装置であって、上記操作部材は、上記選択ホイールの上記軸方向に沿って移動操作可能であるとともに、上記軸方向のまわりに回転操作可能なつまみと、このつまみにより操作可能なつまみシャフトであり、上記選択ホイールの内周側に形成した内周係合溝に係合して上記選択ホイールを回転駆動可能とする駆動突起を有するつまみシャフトと、このつまみシャフトと上記選択ホイールの上記軸方向に一体的に移動可能であるとともに上記軸方向に延びる選択ホイール回転規制ロッドと、を有し、さらに、この選択ホイール回転規制ロッドは、上記選択ホイールのうち上記操作部材により選択された上記選択ホイールのみを回転可能とする回転許容凹部を有するとともに、選択されていない上記選択ホイールの回転を規制可能とする回転規制凸部を有し、上記つまみシャフトは、この回転許容凹部とは異なる部位に位置する係脱部位において上記つまみシャフトの回転を許容可能に抑制する弾性係脱部を有することを特徴とする印字器の印字選択装置である。
【００１２】
上記操作部材は、上記つまみシャフトと上記選択ホイールの上記軸方向に一体的に移動可能であるとともに上記軸方向に延びる見出し枠を有することができる。
【００１３】
上記選択ホイール回転規制ロッドの上記回転規制凸部は、上記選択ホイールの上記外周係合溝に係合可能であることができる。
【００１４】
上記係脱部位は、上記選択ホイール回転規制ロッドの上記回転許容凹部に位置している上記選択ホイールに隣接する上記選択ホイールの上記内周係合溝であることができる。
【００１５】
上記係脱部位は、上記選択ホイール回転規制ロッドの上記回転許容凹部に位置している上記選択ホイールに隣接する上記印字器フレームのフレーム係脱溝であることができる。
【００１６】
上記つまみシャフトの上記弾性係脱部は、上記つまみシャフトの上記つまみとは反対側の先端部側にこれを形成することができる。
【００１７】
上記つまみシャフトの上記弾性係脱部は、上記つまみシャフトの上記つまみの近傍側にこれを形成することができる。
【発明の効果】
【００１８】
本発明による印字器の印字選択装置においては、選択ホイールの内周側に形成した内周係合溝に係合して選択ホイールを回転駆動可能とする駆動突起をつまみシャフトに形成し、さらに、選択ホイールのうち操作部材により選択された選択ホイールのみを回転可能とする回転許容凹部と、選択されていない選択ホイールの回転を規制可能とする回転規制凸部と、を有する選択ホイール回転規制ロッドを設けているので、任意の列（桁）に位置する選択ホイールを割り出してこれのみを回転可能とすることができ、かつ、これ以外の割出し機構を備えていないので、部品点数を減らすことができる。
さらに、上記つまみシャフトは、回転許容凹部とは異なる部位（すなわち、駆動突起の部分とは異なる位置）に位置する係脱部位においてつまみシャフトの回転を許容可能に抑制する弾性係脱部を有するので、つまみシャフトを操作することにより、選択した選択ホイールの回転節度を感覚として直接かつ確実に得ることができる。
【発明を実施するための最良の形態】
【００１９】
本発明は、駆動突起および弾性係脱部を有するつまみシャフトと、回転許容凹部および回転規制凸部を有する選択ホイール回転規制ロッドと、を設けたので、部品点数少なく、簡略化した構成で、回転節度を操作部材の近傍で確実に感ずることができる印字器の印字選択装置を実現した。
【実施例】
【００２０】
つぎに本発明の実施例による印字器の印字選択装置を図１ないし図８にもとづき説明する。
図１は、印字器１、および印字器１に装備した印字選択装置２の断面図、図２は、図１のＩＩ−ＩＩ線断面図であって、印字器１は、印字選択装置２と、印字器フレーム３と、印字選択用の操作部材４（図２）と、印字器フレーム３内において互いに隣り合わせに同軸的に重ね合わせて軸方向のまわりに回転可能とした複数列の選択ホイール５と、印字受け台部兼用節度コマ６と、複数列の印字用エンドレスバンド７と、を有する。
印字選択装置２は、印字器フレーム３、操作部材４、選択ホイール５、印字受け台兼用節度コマ６、印字用エンドレスバンド７などを有する。
【００２１】
印字器フレーム３は、その上部に見出し窓部８を、その下部にインキローラー対向開口部９をそれぞれ開口形成している。
インキローラー対向開口部９において、印字用エンドレスバンド７の印字文字７Ａに接触可能にインキローラーＲが転動する。
【００２２】
図３は、操作部材４の斜視図、図４は、操作部材４を選択ホイール５に組み入れる状態を示す斜視図、図５は、操作部材４および選択ホイール５を組み立てた状態の斜視図、図６は、図５とは反対側から見た操作部材４および選択ホイール５を組み立てた状態の斜視図である。
操作部材４は、選択ホイール５の軸方向において選択ホイール５のいずれかを選択するとともに、この選択したいずれかの選択ホイール５をその軸のまわりに回転駆動可能とするもので、印字器フレーム３の外部に位置するつまみ１０と、操作部材４の中央部に位置する断面円筒状のつまみシャフト１１と、下方部に位置する断面十字形の選択ホイール回転規制ロッド１２と、上方部に位置する平板状の見出し枠１３と、を有する。
【００２３】
つまみ１０は、選択ホイール５の軸方向に延びるつまみシャフト１１と一体的な短円柱状の部材であって、選択ホイール５の軸方向に沿って印字器フレーム３および選択ホイール５（印字用エンドレスバンド７）に対して移動操作可能であるとともに、軸方向のまわりに回転操作可能である。
【００２４】
つまみシャフト１１は、つまみ１０により操作可能であって、その外円周部において選択ホイール５を回転可能に支持しているとともに、その先端部に、互いに直径方向に突出する一対の駆動突起１４を有する。
さらに、つまみシャフト１１は、この駆動突起１４より選択ホイール５一枚分の厚さ分だけさらに先端部側において、直径方向に突出する一対の弾性係脱部１５を有する。なお、この弾性係脱部１５は、つまみシャフト１１のつまみ１０とは反対側の先端部にこれを形成している。
【００２５】
駆動突起１４は、選択ホイール５の内周側に形成した内周係合溝５Ａに沿って軸方向には移動可能であるとともに、この内周係合溝５Ａに係合して選択ホイール５を回転駆動可能とする。
【００２６】
弾性係脱部１５は、つまみシャフト１１の円弧に沿って延びる弾性変形可能なアーム１５Ａと、アーム１５Ａの先端部に形成した断面が半円弧状の半円弧状突出端１５Ｂと、を有し、半円弧状突出端１５Ｂは、つまみシャフト１１の外円周部より外方側に突出しており、アーム１５Ａの弾性変形によりつまみシャフト１１の外円周部に対して出没し、選択ホイール５の内周係合溝５Ａに係脱可能である。
すなわち、駆動突起１４が係合する内周係合溝５Ａを有する選択ホイール５に隣接する選択ホイール５の内周係合溝５Ａ（係脱部位）において弾性係脱部１５は当該隣接する選択ホイール５と係脱可能である。
【００２７】
駆動突起１４および弾性係脱部１５のつまみシャフト１１の円周方向における相対位置としては、図示の例では、直径方向の一対の駆動突起１４を結ぶ線に対して弾性係脱部１５が線対称の位置にあるが、この構成に限らず、任意の相対位置で互いに形成可能である。
また弾性係脱部１５の形状として、図示の例では、その一対の半円弧状突出端１５Ｂをそれぞれのアーム１５Ａから互いに反対方向（時計方向および反時計方向）に延びるように形成しているが、互いに同方向に延びる構成すなわち、一対の半円弧状突出端１５Ｂがつまみシャフト１１の中心軸線に対して回転対称にあるような構成であってもよい。
【００２８】
選択ホイール回転規制ロッド１２は、選択ホイール５の軸方向に延びており、見出し枠１３と一体的な部材であって、つまみ１０およびつまみシャフト１１の回転方向では回転せず、つまみ１０およびつまみシャフト１１の選択ホイール５の軸方向への移動には一体的に移動可能である。
この選択ホイール回転規制ロッド１２は、印字器フレーム３において選択ホイール５の軸方向に横断して設けた規制ロッド支持部１６（図１および図２を参照）により摺動可能に支持される下方基底部１２Ａと、この下方基底部１２Ａの上方に一体的に位置する上方規制部１２Ｂと、を有する。
【００２９】
上方規制部１２Ｂには、選択ホイール５のうち操作部材４により選択された選択ホイール５のみを回転可能とする回転許容凹部１２Ｃと、選択されていない選択ホイール５の回転を規制可能とする回転規制凸部１２Ｄと、を形成している。
【００３０】
回転許容凹部１２Ｃは、上方規制部１２Ｂにおいてその軸方向に選択ホイール５の厚さのほぼ一枚分から二枚分未満を占めているとともに、回転規制凸部１２Ｄは、上方規制部１２Ｂの大部分を占めていて、複数枚（より正確には、当該印字器１に備えられている選択ホイール５の枚数から一枚分を差し引いた枚数）の選択ホイール５の外周係合溝５Ｂに同時に係合可能である。
【００３１】
かくして、上記つまみシャフト１１の弾性係脱部１５は、回転許容凹部１２Ｃに位置している選択ホイール５に隣接する係脱部位においてつまみシャフト１１の回転を許容可能に抑制する。
すなわち、上記係脱部位は、選択ホイール回転規制ロッド１２の回転規制凸部１２Ｄに係合して回転を規制されている選択ホイール５の内周係合溝５Ａであって、回転許容凹部１２Ｃに位置している選択ホイール５に（より先端部側で）隣接する選択ホイール５の内周係合溝５Ａである。
【００３２】
ただし、この係脱部位は、隣接する選択ホイール５の部分でなくてもよく、選択ホイール回転規制ロッド１２の回転規制凸部１２Ｄに係合して回転を規制されている任意の選択ホイール５の内周係合溝５Ａであってもよく、後述するように、つまみ１０に対しての最奥部（あるいは最手許部）における選択ホイール５を回転する場合には、印字フレーム３のフレーム係脱溝３Ａ（図２）であってもよい。
【００３３】
見出し枠１３は、選択ホイール５の軸方向に延びるもので、既述のように、つまみシャフト１１および選択ホイール回転規制ロッド１２と選択ホイール５の軸方向に一体的に移動可能である。
見出し枠１３は、複数枚の選択ホイール５全体（全列）を見ることができる長矩形状の見出し文字用窓１３Ａを有するとともに、見出し文字用窓１３Ａの一部すなわち、つまみシャフト１１の駆動突起１４の部位に位置して、一列分に相当する印字合わせ用窓１３Ｂを形成している。
【００３４】
選択ホイール５は、印字用エンドレスバンド７の内側に位置して、複数列（たとえば図示の例では１０列）に並べ、１０列の印字用エンドレスバンド７により印字器１が１０桁の印字を可能としている。
【００３５】
印字受け台兼用節度コマ６は、とくに図１および図２に示すように、選択ホイール５および印字用エンドレスバンド７とともに１０列分にこれを設けているもので、断面正方形状であって、印字器フレーム３に掛け渡した印字受けピン１７のまわりに回転可能であって、その各辺にバンド係合溝６Ａを形成している。
印字受け台兼用節度コマ６はこれを、節度押圧部材１８および節度スプリング１９により回転抑制可能に付勢し、操作部材４による選択ホイール５すなわち印字用エンドレスバンド７の回転操作時に、上述のつまみシャフト１１における弾性係脱部１５とともに回転節度を得るようにしている。
【００３６】
印字用エンドレスバンド７は、その外周まわりに前記複数個の印字文字７Ａおよびこれら印字文字７Ａに対応した見出し文字７Ｂをその外周まわりにそれぞれの領域に分けて形成しているとともに、これらの選択ホイール５の外周係合溝５Ｂおよび印字受け台兼用節度コマ６のバンド係合溝６Ａにそれぞれ係合する駆動用突起部７Ｃをその内周まわりに形成している。
とくに図１に示すように、印字文字７Ａが印字器１の下方部におけるインキローラー対向開口部９においてインキローラーＲに接触可能であり、この印字文字７Ａに対応する見出し文字７Ｂが上方部における見出し窓部８において目視可能となっている。
【００３７】
こうした構成の印字器１および印字選択装置２において、所望の列における所望の印字文字７Ａを選択する操作について説明する。
図７は、印字選択装置２において、つまみ１０の一番手前側（図中左側）の列の選択ホイール５（印字用エンドレスバンド７）を選択して印字用エンドレスバンド７の印字文字７Ａを回転選択する場合を示す一部切欠き要部側面図、図８は、同、選択ホイール５の軸方向から見た要部断面図である。
図７に示すように、操作部材４のつまみ１０を選択ホイール５の軸方向に引いて見出し枠１３の印字合わせ用窓１３Ｂを所望（この場合一番手前側）の列に合わせることにより、つまみシャフト１１の駆動突起１４を対応する選択ホイール５の内周係合溝５Ａに合わせて、列の選択操作（すなわち、割出し操作）を行うことができる。なお、駆動突起１４は、それぞれの選択ホイール５における内周係合溝５Ａが軸方向に揃っているので、軸方向への移動には支障ない。
【００３８】
この選択した列において、上記駆動突起１４は選択ホイール回転規制ロッド１２の回転許容凹部１２Ｃに対向しているので、図８に示すように、つまみ１０（つまみシャフト１１）を回転可能であり、したがって、選択した選択ホイール５を駆動突起１４が回転させ、すなわち、印字用エンドレスバンド７を回転させることができる。
この回転の際に、選択された選択ホイール５以外の選択ホイール５については、それぞれの外周係合溝５Ｂがすべて選択ホイール回転規制ロッド１２の回転規制凸部１２Ｄに係合しているので、これら他の選択ホイール５は回転することがない。
さらに、つまみシャフト１１の弾性係脱部１５が、選択されている選択ホイール５に隣接するとともに回転を規制されている他の選択ホイール５の内周係合溝５Ａに係脱するので、操作者は、つまみ１０（つまみシャフト１１）から節度を直接受けることができる。したがって、円柱状のつまみシャフト１１の円周部には、割出し用の凹凸部を形成する必要がなく、その耐久性を所定レベル以上とすることができる。
なお、この回転時に印字受け台兼用節度コマ６も必要な数だけ回転するので、所望の印字文字７ＡをインキローラーＲに対向させることができる。
【００３９】
他の列の選択ホイール５（印字用エンドレスバンド７）を選択する場合も同様である。
ただし、選択ホイール５の最奥部の列における印字用エンドレスバンド７を選択する場合には、図２に示すように、操作部材４のつまみ１０を印字器１の最奥部に押し込むと、つまみシャフト１１の駆動突起１４が最奥列の選択ホイール５の内周係合溝５Ａに位置するとともに、つまみシャフト１１の弾性係脱部１５は、さらにその奥の印字器フレーム３に空隙部として形成したフレーム係脱溝３Ａに係脱する。
すなわち、この最奥列の場合には、弾性係脱部１５についての前記係脱部位は、選択ホイール回転規制ロッド１２の回転許容凹部１２Ｃとは異なる部位（図示の例では、最奥部に位置している選択ホイール５に隣接する部位）にある印字器フレーム３のフレーム係脱溝３Ａである。
【００４０】
なお本実施例においては、つまみシャフト１１の弾性係脱部１５は、つまみシャフト１１の先端部にこれを設けたが、本発明においては、この弾性係脱部１５は、つまみシャフト１１のつまみ１０の近傍側にこれを形成する構成とすることが可能であり、こうした構成により、つまみ１０により近い部位において、つまみシャフト１１の回転節度について手許の感覚を鋭敏に感じ取ることができる。
【図面の簡単な説明】
【００４１】
【図１】本発明の実施例による印字選択装置２を装備した印字器１および印字選択装置２の断面図である。
【図２】同、図１のＩＩ−ＩＩ線断面図である。
【図３】同、操作部材４の斜視図である。
【図４】同、操作部材４を選択ホイール５に組み入れる状態を示す斜視図である。
【図５】同、操作部材４および選択ホイール５を組み立てた状態の斜視図である。
【図６】同、図５とは反対側から見た操作部材４および選択ホイール５を組み立てた状態の斜視図である。
【図７】同、印字選択装置２において、つまみ１０の一番手前側（図中左側）の列の選択ホイール５（印字用エンドレスバンド７）を選択して印字用エンドレスバンド７の印字文字７Ａを回転選択する場合を示す一部切欠き要部側面図である。
【図８】同、選択ホイール５の軸方向から見た要部断面図である。
【符号の説明】
【００４２】
１  印字器（図１、図２）
２  印字器１の印字選択装置（実施例）
３  印字器フレーム
３Ａ  印字器フレーム３のフレーム係脱溝（図７）
４  操作部材
５  選択ホイール
５Ａ  選択ホイール５の内周係合溝
５Ｂ  選択ホイール５の外周係合溝
６  印字受け台兼用節度コマ（図１、図２）
６Ａ  印字受け台兼用節度コマ６のバンド係合溝（図１）
７  印字用エンドレスバンド
７Ａ  印字用エンドレスバンド７の印字文字
７Ｂ  印字用エンドレスバンド７の見出し文字
７Ｃ  印字用エンドレスバンド７の駆動用突起部
８  見出し窓部（図１）
９  インキローラー対向開口部
１０  つまみ
１１  つまみシャフト
１２  選択ホイール回転規制ロッド
１２Ａ  選択ホイール回転規制ロッド１２の下方基底部
１２Ｂ  選択ホイール回転規制ロッド１２の上方規制部
１２Ｃ  上方規制部１２Ｂの回転許容凹部
１２Ｄ  上方規制部１２Ｂ回転規制凸部
１３  見出し枠
１３Ａ  見出し枠１３の長矩形状の見出し文字用窓
１３Ｂ  見出し枠１３の印字合わせ用窓
１４  つまみシャフト１１の駆動突起
１５  つまみシャフト１１の弾性係脱部
１５Ａ  弾性係脱部１５のアーム
１５Ｂ  弾性係脱部１５の半円弧状突出端
１６  規制ロッド支持部（図１、図２）
１７  印字受けピン
１８  節度押圧部材
１９  節度スプリング
Ｒ    インキローラー（図１）
【図１】
2008207453.tif 000003
【図２】
2008207453.tif 000004
【図３】
2008207453.tif 000005
【図４】
2008207453.tif 000006
【図５】
2008207453.tif 000007
【図６】
2008207453.tif 000008
【図７】
2008207453.tif 000009
【図８】
2008207453.tif 000010